(57)【要約】【課題】本発明は、簡単な構造でレジ袋を着脱しやすく、ゴミ箱の胴体の高さをレジ袋の大きさに合わせて調整できるレジ袋用ゴミ箱を提供することである。【課題を解決するための手段】ゴミ箱の胴体を上下二段に分離して、上段胴体１の両外側に切口を設けた取手を取り付け、上段胴体１の口径を下段胴体２胴体より一回りおおきくし、上下胴体をスライド可能にし、簡単な固定手段を設ける。【選択図】図１
2008239342.tif 000002
【特許請求の範囲】
【請求項１】
円柱形ゴミ箱の胴体を上下二段に分離して、上段胴体を外層として口径を下段胴体よりわずかにおおきくし、上下胴体が密着された状態でスライド可能にし、上段胴体をスライドして上げることでゴミ箱の容量を増やすことが可能だけでなく、空気圧の変化を利用してレジ袋をセットしやすくし、上段胴体をスライドして下げることで込み袋を取り出しやすくし、上段胴体の開口部の外側に不同サイズのレジ袋の取手をかけられる取手を設け、上下胴体に固定手段を設けたことを特徴とするレジ袋用込み箱。
【発明の詳細な説明】
【技術分野】
【０００１】  本発明は、買い物の時もらうレジ袋用ゴミ箱に関するものである。
【背景技術】
【０００２】  一般家庭で、買い物のときもらうレジ袋を、捨てずにそのままレジ袋としてゴミ箱にセットして使う場合が多い。しかし、店によってレジ袋のサイズや形状が異なり、そのまま使うにはさまざまな不便があるため、レジ袋を使いやすいように工夫されたゴミ箱がいくつか知られている。今まで発表された当分野での先行技術は、特開２００５−４７７０７などが知られてある。また類似技術としては、筒状を数段にスライド可能にした容器や食器が知られている。
【発明の開示】
【発明が解決しようとする課題】
【０００３】  本発明は、簡単な構造でレジ袋の着脱作業がしやすく、ゴミ箱の胴体の高さをレジ袋の大きさやゴミの量に合わせて調整できるレジ袋用ゴミ箱を提供することを課題とする。
【課題を解決するための手段】
【０００４】  円柱形ゴミ箱の胴体を上下二段に分離して、上段胴体の口径を下段胴体よりわずかにおおきくして外層とし、上下胴体が密着された状態でスライド可能にし、上段胴体の開口部の外側に不同サイズのレジ袋の取手をかけられるよう複数の切口を設けた取手を取り付け、上下胴体をスライドしてから固定させるための固定手段を設ける。  本発明は以上の構造により構成されており、次のような効果を現す。
【発明の効果】
【０００５】（イ）  従来のゴミ箱にレジ袋をセットする際は、ゴミ箱とレジ袋の間の空気が邪魔をして、レジ袋をゴミ箱にぴったり付着させてセットするのが難しかった。しかし、当発明の場合はレジ袋をゴミ箱に入れて袋の持ち手をゴミ箱の取手にかけてから、取手を持ち上げると、上段胴体が袋と一緒に上に上がり、ゴミ箱の底面とレジ袋の間の気圧が瞬間的下るため一瞬の間にレジ袋がゴミ箱にぴったり付着され、とっても簡単に、格好良くセットできる。この空気の圧力を利用した効果は筒状を数段にスライド可能にした技術には得られない効果である。（ロ）  従来のゴミ箱はレジ袋を取り出すときも、レジ袋の底面とゴミ箱の間に空気が入りにくいため、レジ袋の底がゴミ箱の開口部から抜けるまで、ゴミ箱を押さえつけながら、レジ袋を引っ張り出すしかなかったが、当発明の場合は、レジ袋の口を閉めてから上段胴体をスライドして下ろすと、レジ袋の半分はすでにゴミ箱の外に出された状態になるので、力を入れて引っ張る必要もなく、簡単に取り出せるので作業が楽になる。（ハ）  従来のゴミ箱は大きさが固定されていたため、ゴミ箱のサイズに会わないレジ袋は使いにくかったが、当発明は上段胴体の外側に設けた取手が、レジ袋のサイズに合わせて掛けられるようになってあるだけでなく、ゴミ箱の高さが調整可能なため、レジ袋のサイズに合わせて使えるだけでなく、最初は低くセットし、中のゴミが多くなったらごみ箱の高さを上げながら使うなど、ゴミの量に合わせて使うことも可能なので、簡単な構造でありながら機能性が高く実用的である。
【発明を実施するための最良の形態】
【０００６】  以下、本発明の実施形態について、図面を参照しながら詳細に説明する。  図１は本発明の上段胴体を上げた状態の斜視図である。  図２ａはゴミ箱の正面イメージ図である。      ｂは凸部側面断面形状イメージ図である  図３はレジ袋をセットした状態の斜視図である。【０００７】  円柱形ゴミ箱の胴体を上段胴体１と下段胴体２との二段に分離し、上下胴体をスライド可能にするため、上段胴体１を下段胴体２よりわずかに大きくして外層にする。【０００８】  上段胴体１と下段胴体２をスライドさせるためには、下段胴体２を上段胴体１より大きくして上段胴体１を内層にする方法もあるが、そうすると上下胴体をスライドする際、レジ袋が上段胴体１と下段胴体２の間に挟まれやすくなるので望ましくない。【０００９】  そして、上段胴体１の開口部から約１０ｃｍ下の左右両外側に、取手３を設けるが、取手３はレジ袋８をセットする際、持ち手９を掛けて固定する役割と、ゴミ箱を上下スライドする際の把手として掴む二つの役割をするので、図１のように袋の持ち手のサイズや長さに合わせて掛けられるように複数の切れ目を入れており、また手でつかみ易い形になってある。そして、スライド後胴体を固定するための簡単な固定手段を設ける。
【実施例１】
【００１０】  円柱形胴体を上下二段にし、上段胴体１の直径を約２８ｃｍから３０ｃｍにして外層とし、下段胴体２は上段胴体１との間に無駄な空間はなく、かつ円滑にスライド可能な程度胴体１より一回り小さくして内層にする。高さは上段胴体１を約２０ｃｍ位にし、下段胴体２を上段胴体１より３ｃｍ程度高くして、上段胴体１をスライドして下したとき地面に着かないようにする。【００１１】  そして、上段胴体１の上部開口部から約５ｃｍ下の両外側に取手３を設けるが、取手３は不同サイズのレジ袋を掛けやすくするため取手の幅を約１０ｃｍ程度長くし、複数の切口４を設ける。（図１参照）【００１２】  固定手段としては、上段胴体１の内側壁面の左右二箇所に対向して上から下まで縦に僅かに内側に突出した凸部７を設け、凸部７は複数の欠口が設けられた鋸歯形から形成される。（図２ｂ参照）【００１３】  そして、下段胴体２には、胴体壁体の左右二箇所に対向して上段胴体１に設けた凸部７に相応した縦に内側に凹んで形成された凹部６を設けるが、凹部６の縦に内側に凹んだ部分の大きさは、上段胴体１を上下スライド可能にするためのスペースと、スライド後上段胴体１を横に回して固定する際に、凸部７を収容可能な固定用スペースも含めて合わせて凸部７の２倍大きさにし、スライド用スペースの最上部は凸部７がいつも通れるよう開口にし、固定用スペースの最上部は壁体辺縁を平面に突出させ封口状態にする。（図２ａ参照）【００１４】  上記実施例を使用する際は、まずレジ袋８を開いてゴミ箱に入れて、レジ袋８の持ち手９をゴミ箱の取手３に掛けるが、レジ袋の大きさに合わせて取手切口４の適応な位置を選択して、持ち手を掛ける。そして取手３を持って上段胴体１を持ち上げる。するとゴミ箱が伸びながらゴミ箱とレジ袋８の間の気圧が下るにつれ、一瞬の間レジ袋８はゴミ箱の壁にぴったり付着する。そうしたら取手３を持って僅かに横に回すと、下段胴体２に設けられた凹部６の最上部平面に突出した辺縁が、上段胴体１に設けた凸部７の欠口の何れかに入って噛合うことで固定され、セット完了となる。【００１５】  レジ袋８を取り出すときは、レジ袋８の持ち手９を取手３からはずして、レジ袋８の口を閉めてから、取手３を持って上段胴体１を当初固定する際の回した反対方向に回し戻すと、凸部７が固定状態から解除されスライド可能な位置に戻るので、そのまま上段胴体１を下すと、レジ袋８の上半部はゴミ箱の外に露出された状態になる。そしてレジ袋を持ち上げると簡単にゴミ箱から取り出せる。
【図面の簡単な説明】
【００１６】 
【符号の説明】
【００１７】    １    上段胴体    ２    下段胴体    ３    取手    ４    取手切口    ５    辺縁    ６    凹部    ７    凸部    ８    レジ袋    ９    レジ袋取手
【図１】
2008239342.tif 000003
【図２】
2008239342.tif 000004
【図３】
2008239342.tif 000005
【手続補正書】
【提出日】平成19年6月1日(2007.6.1)
【手続補正１】
【補正対象書類名】明細書
【補正対象項目名】００１６
【補正方法】変更
【補正の内容】
【００１６】
【図１】本発明の上段胴体を上げた状態の斜視図である。
【図２】ａはゴミ箱の正面イメージ図とｂは凸部側面断面形状イメージ図である。
【図３】レジ袋をセットした状態の斜視図である。